(57)【特許請求の範囲】
【請求項１】
床面上に設けた防水層の上に、不燃性材料からなる複数本の根太が並設され、これら根太間に、防水層を覆うように不燃板が介装されるとともに、根太上にデッキ材が敷設されたことを特徴とするバルコニーデッキ。
【請求項２】
前記防水層と根太との間に緩衝材が設けられたことを特徴とする請求項１に記載のバルコニーデッキ。
【請求項３】
前記根太にはその側面に台座部が設けられ、この台座部に前記不燃板の端部が固定されたことを特徴とする請求項１又は２に記載のバルコニーデッキ。
【請求項４】
床面上に設けた防水層の上面全面に、膨出部を有する複数枚の不燃板が敷設され、これら不燃板の膨出部上にデッキ材が載置されて敷設されたことを特徴とするバルコニーデッキ。
【請求項５】
前記膨出部は、不燃板の側縁部に設けられるとともに、隣接する他の不燃板の膨出部と重畳可能な形態に形成され、該膨出部同士を重畳することにより、隣接する不燃板同士が連結されたことを特徴とする請求項４に記載のバルコニーデッキ。
【請求項６】
前記防水層と不燃板との間に緩衝材が設けられたことを特徴とする請求項４又は５に記載のバルコニーデッキ。
【発明の詳細な説明】
【０００１】
【発明の属する技術分野】
この発明は、建築物の屋外テラス、特に木質系住宅での防水性及び耐火性を要する屋外テラスに好適なバルコニーデッキに関する。
【０００２】
【従来の技術】
一般に、戸建住宅に設けられるバルコニーでは、下部空間が居室として有効利用される場合が多く、またバルコニーそのものも風雨に晒されるため、当然に防水性能が要求される。また一方で、バルコニーには、建築物に関する種々の規定から不燃性能が要求される場合があり、特に木造建築物であれば、政令に定められる耐火性能を有するよう防火の措置を講じなければならない。
【０００３】
従来、木質系バルコニーにおいては、例えばバルコニー躯体の上面に防水シート等を敷いて防水処理を施した後、その上にモルタルを打設したり、防水剤を混和したモルタルを直接躯体に打設したりすることにより、防水性能と耐火性能を確保していた。また、モルタル打設の代わりに、複数の磁器質タイルを張ることで耐火性を備えさせる方法も行われている。
【０００４】
【発明が解決しようとする課題】
しかしながら、上記したモルタルを打設する方法では、モルタルの打設に時間を要し、熟練した施工者を必要とする。また、その点検や補修にあたっても、一度モルタルを壊さなければならずコストと手間がかかるといった問題点があった。
【０００５】
一方、タイルを表面仕上に使用すると、無機質で冷たい感じを抱かせるバルコニーとなってしまう。バルコニーに憩いの場を求めたり、植物の栽培等の趣味の場として活用されることを考慮すれば、木質系のより温かみのある材質による仕上が好まれる場合もある。また、木質系住宅であれば、素材を揃え内外の同化を強めることのできる木質系仕上材により表面仕上を行う方がより好ましい場合もある。
【０００６】
本発明は以上のような点に鑑みてなされたものであり、その目的とするところは、施工及び維持管理作業が容易で、工期の短縮を図ることのできる、防水性及び耐火性能を備えたバルコニーデッキを提供することにある。加えて、仕上材には温かみのある木質系デッキ材を使用することのできるバルコニーデッキを提供することにある。
【０００７】
【課題を解決するための手段】
上記目的を達成するため本発明に係るバルコニーデッキは、床面上に設けた防水層の上に、不燃性材料からなる複数本の根太が並設され、これら根太間に、防水層を覆うように不燃板が介装されるとともに、根太上にデッキ材が敷設されたことを特徴とする。
【０００８】
この発明によれば、根太により不燃板とデッキ材の両方を固定することが可能となる。また、デッキ材に、素材が木材、或いは木粉入りのプラスチックやプラスチックのものを採用することができ、そのような素材のデッキ材を用いることで、不燃性材料からなる根太及び不燃板により不燃性能を確保する一方、求められる温かい印象を醸し出すことが可能となる。さらに、防水層の維持管理作業を行う際、不燃板やデッキ材の取り外しが容易である。なお、根太としては、例えば鉄やアルミニウム等の金属が好適である。不燃板としては、例えばセメント板、珪酸カルシウム板等が挙げられる。
【０００９】
また、防水層と根太との間には緩衝材が設けられていてもよい。
【００１０】
この場合は、防水層が根太によって傷つくことがなく、防水層の防水性能が損なわれる虞がなくなる。
【００１１】
さらに、根太にはその側面に台座部を設け、この台座部に不燃板の端部を固定するようにしてもよい。
【００１２】
この場合は、根太への不燃板の取付作業が極めて容易なものとなるとともに、防水層と不燃板との間、及び不燃板とデッキ材との間に空気層が形成されることになるため、各部材の乾燥が促進され、カビや腐食の発生が防止される。
【００１３】
また、上記目的を達成するため、本発明に係るバルコニーデッキは、床面上に設けた防水層の上面全面に、膨出部を有する複数枚の不燃板が敷設され、これら不燃板の膨出部上にデッキ材が載置されて敷設されたことを特徴とするものであってもよい。
【００１４】
この場合、不燃板に設けた膨出部が根太の役目を果たすため、前記したものとは異なり、別途根太を用意する必要がなく、その分さらに施工性がよい。なお、不燃版としては、例えば鉄板等の金属板が好適である。
【００１５】
また、膨出部は、不燃板の側縁部に設けるとともに、隣接する他の不燃板の膨出部と重畳可能な形態に形成し、該膨出部同士を重畳することにより、隣接する不燃板同士を連結するようにしてもよい。膨出部の形状は、成形加工の容易さから突条がよいが、これに限らず、例えば截頭円錐状或いは截頭角錐状であってもよい。
【００１６】
この場合、不燃板の設置が、膨出部を重畳させて相互に連結させるだけでよいため、より一層施工性がよくなる。さらに、不燃板とデッキ材との間に空気層が形成されることになるため、各部材の乾燥が促進され、カビや腐食の発生が防止される。
【００１７】
また、ここでも防水層と不燃板との間に緩衝材を設けてもよい。
【００１８】
この場合、防水層が傷つけられにくくなり、防水性能が損なわれる虞がない。
【００１９】
なお、上記したいずれのタイプにおいても、防水層としては、ガラス繊維強化プラスチックをはじめとする各種のプラスチック製パン、或いは各種の防水シートを採用することができる。また、緩衝材としては、ゴムや発泡プラスチック等が挙げられる。
【００２０】
【発明の実施の形態】
以下、本発明に係るバルコニーデッキの実施の形態について図面を参照して説明する。
【００２１】
[ 実施の形態１]
図１乃至図４は、本発明の実施の形態１を示し、図１はバルコニーデッキを施工手順の概略とともに示した斜視図であり、図２は図１におけるＡ−Ａ線断面図である。また、図３は図１とは異なるデッキ材を仕上に使用した際の斜視図であり、図４は図３におけるＢ−Ｂ線断面図である。
【００２２】
図１において、バルコニーデッキ１は、建築物の屋外テラスとして、床面上に設けられた防水層の上に、不燃性材料からなる複数本の根太が並設されて形成される。
【００２３】
本実施の形態においては、防水層として、耐候性及び強度的に優れたガラス繊維強化プラスチック（以下、ＦＲＰと記す）によって形成された防水パン１２が用いられる。防水パン１２は、バルコニーが形成される床面１１全面を覆うように設けられ、その周縁には建物壁体４等の最下部に沿って立ち上がりが設けられて、漏水を防ぐよう一体に成形されたものである。この防水パン１２を床面１１に載置することにより、バルコニー床面は防水施工がなされる。なお、防水パン１２は、バルコニー床面１１の大きさに合わせて予め一体成形されたものであっても、複数の部材を連結させて形成されたものであってもよい。
【００２４】
この防水パン１２の上部には、不燃板１３が後述する根太１４を介し、防水パン１２を覆うように設置される。不燃板１３は、例えばセメントや珪酸カルシウム等の不燃性材料によって平板状に形成されてなる。
【００２５】
根太１４は、中空部１４１を有する長尺体として形成され、防水パン１２の上に載置される。根太１４は、不燃性材料からなり、例えば鉄やアルミニウム等の金属が用いられる。この根太１４は、取付面１４２と台座部１４３を有する。
【００２６】
取付面１４２は、長尺体として形成された根太１４の上面を構成し、仕上に用いられるデッキ材１５は、この取付面１４２にビス１６を介して固定される。
【００２７】
台座部１４３は、根太１４の側面下部から水平方向に突出して設けられる。この台座部１４３の上面１４４において、前述の不燃板１３の端部が固定される。このため、根太１４側面と台座部１４３上面とによって形成される入隅部分は、不燃板１３端部の断面形状に合致する形状とされる。
【００２８】
根太１４に台座部１４３を設けたことにより、根太１４への不燃板１３の取付作業を容易なものとすることができ、防水パン１２と不燃板１３との間、及び不燃板１３とデッキ材１５との間に空気層１８が形成される
防水パン１２と根太１４との間には、緩衝材１７が設けられる。緩衝材１７を設けることで、防水パン１２が根太１４によって傷つくことがなく、防水層の防水性能が損なわれる虞がなくなる。
【００２９】
［実施の形態１の施工手順］
続いて、上記のような構成をとるバルコニーデッキ１の施工手順について簡単に説明する。
【００３０】
まず、バルコニーを形成しようとする床面１１上の全面に、防水層としての防水パン１２を載置する。この防水パン１２の上に複数本の根太１４が緩衝材１７を介して並設される。根太１４同士の間隔は、仕上材として使用されるデッキ材１５の強度や大きさ等によって適宜決定される。
【００３１】
次に、各根太１４間に不燃板１３を配置する。これら不燃板１３の端部は、根太１４の側面と台座部１４３の上面とに当接させ、両端部が根太１４間に介装されて支持されるよう配置する。配置した不燃板１３の根太１４への固定は、その端部においてなされ、適当なピッチで複数箇所をビス１６を用いて行う。これにより、防水パン１２は不燃板１３及び根太１４によって完全に覆われることとなる。
【００３２】
次に、仕上材としてのデッキ材１５を、根太１４に直交する方向に配置する。デッキ材１５と根太１４との固定は、図１及び図２に示されるように、根太１４の取付面１４２を介して、デッキ材１５の表面からビス止めして行い、バルコニーデッキ１は完成する。また、図３及び図４に示されるようなデッキ材３１を使用する場合は、デッキ材３１の側面に固定金具３２を介在させ、デッキ材３１間において、固定金具３２と根太１４とをビス１６によって固定する。このデッキ材３１の固定により、バルコニーデッキ１は完成する。固定金具３２を使用した後者の例であれば、各デッキ材３１を固定するビス１６は表面に現れないためデッキ面の歩行に際しても安全である。これらデッキ材と根太との固定方法は、使用するデッキ材、或いは根太の材質等によって適応する方法がとられる。
【００３３】
[ 実施の形態２]
図５乃至図８は、本発明の実施の形態２を示し、図５はバルコニーデッキを施工手順の概略とともに示した斜視図であり、図６は図５におけるＣ−Ｃ線断面図である。また、図７は図５とは異なるデッキ材を仕上に使用した際の斜視図であり、図８は図７におけるＤ−Ｄ線断面図である。
【００３４】
図５において、このバルコニーデッキ２は、建築物の屋外テラスとして、床面上に設けられた防水層の上面全面に、不燃性材料からなる複数枚の不燃板が敷設されて形成される。
【００３５】
防水層として、本実施の形態においても前記実施の形態１と同様の、ＦＲＰによる防水パン２２が用いられ、バルコニーを形成する床面２１全面、及び周縁の立ち上がり部分を覆って設けられる。
【００３６】
不燃板２３は、セメントや珪酸カルシウム等の不燃性材料によって形成され、その側縁部には膨出部２３１を有する。
【００３７】
膨出部２３１は、平板状に形成された不燃板２３の側縁部のうち、一方向のみに設けられ、不燃板２３の両端を構成する。本実施の形態の不燃板２３は、実施の形態１とは異なり、隣接する他の不燃板２３とは、この膨出部２３１同士を重畳することにより連結される。そこで、膨出部２３１は互いに重畳可能な形態に形成される。ここでは膨出部２３１は、取付板部２３２と脚部２３３、２３４とを有し、それぞれ不燃板２３を屈曲して不燃板２３と一体に形成されている。
【００３８】
取付板部２３２は、脚部２３３、２３４の上部に設けられる。重畳されることを考慮し、脚部２３３、２３４は互いの間隔を、上部の取付板部２３２側よりも底面の防水パン２２側の方を広く形成するのが好ましい。
【００３９】
膨出部２３１上に載置されるデッキ材２５は、この取付板部２３２を介してビス止めされる。すなわち、この膨出部２３１は根太としての役目も果たす。また、脚部２３３、２３４によって、不燃板２３とデッキ材２５との間には空気層２８が形成される。
【００４０】
防水パン２２と不燃板２３との間には緩衝材２７が設けられる。
【００４１】
［実施の形態２の施工手順］
続いて、上記のような構成をとるバルコニーデッキ２の施工手順について簡単に説明する。
【００４２】
まず、バルコニーを形成しようとする床面２１上の全面に、防水層としての防水パン２２を敷設する。次に、防水パン２２の上面全面に不燃板２３を配する。この不燃板２３には、防水パン２２との間に緩衝材２７を接着させておく。
【００４３】
不燃板２３の配置にあたっては、前述したように隣接する不燃板２３の膨出部２３１同士を重畳し、相互に連結させる。このとき、各膨出部２３１は自ずと一定間隔で配され、この上にデッキ材２５を膨出部２３１に直交する方向に載置する。膨出部２３１の取付板部２３２において、各デッキ材２５をビス１６により固定し、バルコニーデッキ２は完成する。また、図７及び図８に示すようなデッキ材３１を仕上に使用する場合は、デッキ材３１間において、デッキ材３１の側面に差し込まれた固定金具３２を介して、取付板部２３２にビス固定すればよく、この場合にはデッキ材３１表面にビス２６が現れないため、歩行に際しても安全なバルコニーデッキを形成することができる。
【００４４】
【発明の効果】
以上説明したように、本発明に係るバルコニーデッキで、防水層の上に台座部を有する根太を並設するタイプのバルコニーデッキにおいては、この根太により不燃板とデッキ材の両方を固定することが可能となる。また、仕上材を選ばないためデッキ材として、素材が木材、或いは木粉入りのプラスチックやプラスチックのものを採用することができる。その上、このような素材のデッキ材を用いることで、不燃性材料からなる根太及び不燃板により不燃性能を確保する一方で、求められる温かい印象を醸し出すことができる。さらに、防水層の維持管理作業にあたっては、不燃板やデッキ材の取り外しを容易に行うことができる。
【００４５】
加えて、根太に台座部を設けたことにより、根太への不燃板の取付作業が極めて容易なものとなるとともに、防水層と不燃板との間、及び不燃板とデッキ材との間に空気層が形成されることになるため、各部材の乾燥が促進され、カビや腐食の発生を防止することができるものである。
【００４６】
また、不燃板に膨出部を設けたタイプのバルコニーデッキにおいては、不燃板に設けた膨出部が根太の役目を果たすため、前記したものとは異なり、別途根太を用意する必要がない上に、不燃板の設置は膨出部を重畳させて相互に連結させるだけでよいため、より一層施工性のよいものとすることができる。さらに、不燃板とデッキ材との間に空気層が形成されることになるため、各部材の乾燥が促進され、カビや腐食の発生が防止される。
【００４７】
また、緩衝材を防水層と根太との間、或いは防水層と不燃板との間に設けることにより、防水層が傷つけられることがなく、防水層の防水性能が損なわれる虞をなくすことができる。
【図面の簡単な説明】
【図１】本発明に係るバルコニーデッキの実施の形態１を示す斜視図である。
【図２】図１におけるＡ−Ａ線断面図である。
【図３】本発明に係るバルコニーデッキを示し、図１とは異なるデッキ材を仕上に使用した際の斜視図である。
【図４】図３におけるＢ−Ｂ線断面図である。
【図５】本発明に係るバルコニーデッキの実施の形態２を示す斜視図である。
【図６】図５におけるＣ−Ｃ線断面図である。
【図７】本発明に係るバルコニーデッキを示し、図５とは異なるデッキ材を仕上に使用した際の斜視図である。
【図８】図７におけるＤ−Ｄ線断面図である。
【符号の説明】
１、２      バルコニーデッキ
１３、２３  不燃板
１４        根太
１４３      台座部
１５、２５  デッキ材
１７、２７  緩衝材
２３１      膨出部
【図１】
0004603178.tif 000002
【図２】
0004603178.tif 000003
【図３】
0004603178.tif 000004
【図４】
0004603178.tif 000005
【図５】
0004603178.tif 000006
【図６】
0004603178.tif 000007
【図７】
0004603178.tif 000008
【図８】
0004603178.tif 000009